(57)【要約】      （修正有）【課題】背もたれ部が前方に回転することを防止できる折り畳み式チャイルドシートを提供する。【解決手段】台座と、台座の上方に位置する背もたれ部とを含む折り畳み式チャイルドシートであり、台座は背もたれ部と回転軸３により回転可能に連結され、台座は第１支持部（第１ブラケット６）を有し、背もたれ部は第２支持部（第１支持ロッド９）を有し、チャイルドシートは使用状態と折り畳み状態とを有し、使用状態にあるときに、台座は背もたれ部と相対的に開き、且つ背もたれ部は台座の後部上方に位置し、第１支持部は第２支持部と当接する。これにより、衝突の過程で背もたれ部が前方に回転する際に、背もたれ部の前への回転を防止する。【選択図】図３
0003199855.tif 000002
【実用新案登録請求の範囲】
【請求項１】
台座（１）と、前記台座（１）の上方に位置する背もたれ部（２）とを含み、前記台座（１）と背もたれ部（２）とが回転軸（３）を介して回転可能に連結される折り畳み式チャイルドシートであって、
前記台座（１）は剛性のある第１支持部を有し、前記背もたれ部（２）は剛性のある第２支持部を有し、前記チャイルドシートは使用状態を有し、チャイルドシートが使用状態にあるときに、前記台座（１）は背もたれ部（２）と相対的に開き、且つ背もたれ部（２）は台座（１）の後部上方に位置し、前記第１支持部が前記第２支持部と当接することにより、背もたれ部（２）と台座（１）との折り畳みを防止することを特徴とする、折り畳み式チャイルドシート。
【請求項２】
前記折り畳み式チャイルドシートが使用状態にあるときに、前記第１支持部は、第２支持部の前方に位置し、且つ前記第２支持部との左右方向に沿う垂直面への投影が少なくとも部分的に重なり、投影の重なった部分は前記回転軸（３）の上方に位置していることを特徴とする、請求項１に記載の折り畳み式チャイルドシート。
【請求項３】
前記折り畳み式チャイルドシートが使用状態にあるときに、前記第２支持部は、第１支持部の上方に位置し、且つ前記第１支持部との水平面への投影が少なくとも部分的に重なり、投影の重なった部分は前記回転軸（３）の前方に位置していることを特徴とする、請求項１に記載の折り畳み式チャイルドシート。
【請求項４】
前記第１支持部は台座（１）に設けられた第１ブラケット（６）であり、前記背もたれ部（２）は第２ブラケット（７）を有し、前記第１ブラケット（６）の後部は前記回転軸（３）を介して第２ブラケット（７）の底部と回転可能に連結され、前記第２ブラケット（７）は前記第２支持部である第１支持ロッド（９）を有し、チャイルドシートが使用状態にあるときに、前記第１支持ロッド（９）及び第１ブラケット（６）の水平面への投影が交差していることを特徴とする、請求項３に記載の折り畳み式チャイルドシート。
【請求項５】
前記第１ブラケット（６）は１対の第１ブラケットロッド（１０）と第２ブラケットロッド（８）とを含み、前記第１ブラケットロッド（１０）の中央部は前記第２ブラケットロッド（８）の両端と連結され、前記第１支持ロッド（９）は、前記第２ブラケットロッド（８）の上方に位置し、且つ前記第２ブラケットロッド（８）との水平面への投影が交差していることを特徴とする、請求項４に記載の折り畳み式チャイルドシート。
【請求項６】
前記第２ブラケットロッド（８）は左右方向に沿って設けられ、前記第１支持ロッド（９）は前後方向に沿って設けられていることを特徴とする、請求項５に記載の折り畳み式チャイルドシート。
【請求項７】
前記第１ブラケット（６）は第１ブラケットロッド（１０）を含み、前記第１支持ロッド（９）は、前記第１ブラケットロッド（１０）の上方に位置し、且つ前記第１ブラケットロッド（１０）との水平面への投影が交差していることを特徴とする、請求項４に記載の折り畳み式チャイルドシート。
【請求項８】
前記第１ブラケットロッド（１０）は前後方向に沿って設けられ、前記第１支持ロッド（９）は左右方向に沿って設けられていることを特徴とする、請求項７に記載の折り畳み式チャイルドシート。
【請求項９】
前記背もたれ部（２）の左右両側には、前記第２支持部であるアームレスト（５）がそれぞれ固定され、チャイルドシートが使用状態にあるときに、前記第１支持ロッド（９）及び第１ブラケット（６）の水平面への投影が重なっていることを特徴とする、請求項３に記載の折り畳み式チャイルドシート。
【請求項１０】
前記チャイルドシートは更に折り畳み状態を有し、折り畳み状態にあるときに、前記台座（１）が前記背もたれ部（２）の後ろ側まで回転され、背もたれ部（２）の後ろ側に近付けられていることを特徴とする、請求項１に記載の折り畳み式チャイルドシート。
【考案の詳細な説明】
【技術分野】
【０００１】
本考案はチャイルドシートに関し、特に折り畳み式チャイルドシートに関する。
【背景技術】
【０００２】
子供を安全に乗車させるために、チャイルドシートの使用を選択する人がますます増えており、チャイルドシートは、シートベルトまたはisofix（アイソフィックス）によって車のシートに固定されている。従来の折り畳み式チャイルドシートは、台座と、底部が回転軸を介して台座の後部と回転可能に連結される背もたれ部とを含む。
【考案の概要】
【考案が解決しようとする課題】
【０００３】
しかし、車が衝突したときに、慣性によって背もたれ部が回転軸のまわりで前方に回転するので、中に乗っている子供に衝撃を与える可能性がある。
【課題を解決するための手段】
【０００４】
上記の問題を解決するために、本考案は、背もたれ部が前方に回転することを防止できる折り畳み式チャイルドシートを提供することを目的とする。
【０００５】
上記の目的を達成するために、本考案で採用する技術的解決手段は、次の通りである。すなわち、台座と、台座の上方に位置する背もたれ部とを含み、台座と背もたれ部とが回転軸を介して回転可能に連結される折り畳み式チャイルドシートであって、台座は剛性のある第１支持部を有し、背もたれ部は剛性のある第２支持部を有し、チャイルドシートは使用状態を有し、チャイルドシートが使用状態にあるときに、台座は背もたれ部と相対的に開き、且つ背もたれ部は台座の後部上方に位置し、第１支持部が第２支持部と当接することにより、背もたれ部と台座との折り畳みを防止しており、第１支持部と第２支持部とは、いずれも剛性を有する部材である。
【０００６】
更に、折り畳み式チャイルドシートが使用状態にあるときに、第１支持部は、第２支持部の前方に位置し、且つ第２支持部との左右方向に沿う垂直面への投影が少なくとも部分的に重なり、投影の重なった部分は回転軸の上方に位置している。
【０００７】
更に、折り畳み式チャイルドシートが使用状態にあるときに、第２支持部は、第１支持部の上方に位置し、且つ第１支持部との水平面への投影が少なくとも部分的に重なり、投影の重なった部分は回転軸の前方に位置している。
【０００８】
更に、上述の第１支持部は台座に設けられた第１ブラケットであり、背もたれ部は第２ブラケットを有し、第１ブラケットの後部は回転軸を介して第２ブラケットの底部と回転可能に連結され、第２ブラケットは第２支持部である第１支持ロッドを有し、チャイルドシートが使用状態にあるときに、第１支持ロッド及び第１ブラケットの水平面への投影が交差している。
【０００９】
更に、第１ブラケットは１対の第１ブラケットロッドと第２ブラケットロッドとを含み、第１ブラケットロッドの中央部は第２ブラケットロッドの両端と連結され、第１支持ロッドは、第２ブラケットロッドの上方に位置し、且つ第２ブラケットロッドとの水平面への投影が交差している。
【００１０】
更に、第２ブラケットロッドは左右方向に沿って設けられ、第１支持ロッドは前後方向に沿って設けられている。
【００１１】
更に、第１ブラケットは第１ブラケットロッドを含み、第１支持ロッドは、第１ブラケットロッドの上方に位置し、且つ第１ブラケットロッドとの水平面への投影が交差している。
【００１２】
更に、第１ブラケットロッドは前後方向に沿って設けられ、第１支持ロッドは左右方向に沿って設けられている。
【００１３】
更に、第２ブラケットは、第１支持ロッドと連結された第２支持ロッドを更に含み、第２支持ロッドは上下方向に沿って設けられている。
【００１４】
更に、背もたれ部の左右両側には、第２支持部であるアームレストがそれぞれ固定され、折り畳み式チャイルドシートが使用状態にあるときに、第１支持ロッド及び第１ブラケットの水平面への投影が重なっている。
【００１５】
更に、チャイルドシートは更に折り畳み状態を有し、折り畳み状態にあるときに、台座が背もたれ部の後ろ側まで回転され、背もたれ部の後ろ側に近付けられている。
【００１６】
更に、折り畳み式チャイルドシートは、背もたれ部の下部の左右両側に設けられたアームレストと、背もたれ部の上部に離脱可能に連結されたヘッドレストとを更に含み、チャイルドシートが折り畳み状態にあるときに、ヘッドレストは背もたれ部から離脱されて背もたれ部の前側に配置され、且つアームレストの上方に位置している。
【００１７】
更に、回転軸は、第２支持ロッドと第１ブラケットロッドに回転可能に連結されている。
【００１８】
更に、第１ブラケットの第１ブラケットロッドには、アイソフィックスが前後方向に移動可能に連結されている。
【００１９】
本出願の前後方向、左右方向などは、チャイルドシートの通常使用状況での習慣に基づいて定義されており、チャイルドシートを車のシートに取り付けたときに、車のフロント方向が前方、リア方向が後方であり、子供がフロント方向に面してチャイルドシートに座る場合、子供の左右両側がそれぞれ左方向及び右方向となる。
【考案の効果】
【００２０】
上述の技術的解決手段を採用することで、本考案の折り畳み式チャイルドシートは、衝突の過程で背もたれ部が前方に回転する際に、第２支持部は第１支持部と当接し、第２支持部と第１支持部との間の相互作用により、背もたれ部の前への回転を防止することができる。
【図面の簡単な説明】
【００２１】
【図１】本考案に係る折り畳み式チャイルドシートの使用状態の構造概略図である。
【図２】本考案に係る折り畳み式チャイルドシートの折り畳み状態の構造概略図である。
【図３】本考案の実施例１に係る折り畳み式チャイルドシートの使用状態のブラケットの構造概略図である。
【図４】本考案の実施例１に係る折り畳み式チャイルドシートの折り畳み状態のブラケットの構造概略図である。
【図５】本考案の実施例２に係る折り畳み式チャイルドシートの使用状態のブラケットの構造概略図である。
【図６】本考案の実施例３に係る折り畳み式チャイルドシートの使用状態のブラケットの構造概略図である。
【図７】本考案の実施例４に係る折り畳み式チャイルドシートの使用状態のブラケットの構造概略図である。
【考案を実施するための形態】
【００２２】
以下、図面を参照し本考案の好適な実施例を詳細に説明し、これによって、本考案の優れた点及び特徴が当業者に理解されやすくなり、更に本考案の保護範囲をより明瞭にする。
【実施例１】
【００２３】
図１〜図４の構造概略図から、本考案では、台座１と、底部が回転軸３を介して台座１の後部と回転可能に連結された背もたれ部２と、背もたれ部２の上部に着脱可能に連結されたヘッドレスト４とを含む折り畳み式チャイルドシートを提供していることがわかる。背もたれ部２の左右両側にはそれぞれアームレスト５が設けられており、アームレスト５は背もたれ部２の下部に位置している。
【００２４】
本考案の折り畳み式チャイルドシートは、使用状態と折り畳み状態とを有し、使用状態にあるときに、台座１は背もたれ部２と相対的に開き、且つ背もたれ部２は台座１の後部上方に位置し、ヘッドレスト４は背もたれ部２の上部に連結されており、折り畳み状態にあるときに、台座１は背もたれ部２の後ろ側まで回転され、且つ背もたれ部２の後ろ側に近付けられ、ヘッドレスト４は、背もたれ部２から離脱されて背もたれ部２の前側に配置され、且つアームレスト５の上方に位置している。
【００２５】
台座１は剛性のある第１支持部を有し、背もたれ部２は剛性のある第２支持部を有し、チャイルドシートが使用状態にあるときに、第１支持部は第２支持部と当接し、これによって背もたれ部２と台座１との折り畳みを防止する。
【００２６】
台座１には第１ブラケット６が固定され、該第１ブラケット６は、すなわち上述した第１支持部である。チャイルドシートが使用状態にあるときに、第２支持部は、第１ブラケット６の上方に位置し、且つ第１ブラケット６との水平面への投影が交差し、投影の交差部分は前記回転軸３の前方に位置している。第２支持部及び第１ブラケット６は、いずれも剛性を有する部材である。衝突の過程において、背もたれ部２が前方に回転する際に、第２支持部は台座１の第１ブラケット６と当接し、第２支持部と第１支持部との間の相互作用により、背もたれ部の前への回転を防止する。
【００２７】
図３〜４に示す本実施例では、第１ブラケット６はＨ字状を呈し、両側に位置する２本の第１ブラケットロッド１０と、両端がそれぞれ２本の第１ブラケットロッド１０の中央部に固定される第２ブラケットロッド８とを含み、第１ブラケットロッド１０は前後方向に沿って設けられ、第２ブラケットロッド８は回転軸３の前方に位置している。第１ブラケット６には、アイソフィックス１２が前後方向に移動可能に連結されており、より好適な形態では、アイソフィックス１２は第１ブラケット１０に前後方向に移動可能に連結されている。
【００２８】
背もたれ部２には第２ブラケット７が固定されており、第１ブラケット６の後部は上述の回転軸３を介して第２ブラケット７の底部と回転可能に連結されている。第２ブラケット７は、略Ｌ字状を呈し、第１支持ロッド９と第２支持ロッド１１とを含んでおり、第２支持ロッド１１は上下方向に沿って設けられ、第２支持ロッド１１の下端は第１支持ロッド９の後端と固定され、第１支持ロッド９は回転軸３の前方に位置している。前記回転軸３は前記第２支持ロッド１１及び前記第１ブラケットロッド１０に回転可能に連結されている。
【００２９】
第１支持ロッド９は、すなわち上述の第２支持部である。第１支持ロッド９は第２ブラケットロッド８の上方に位置し、且つ第２ブラケットロッド８及び第１支持ロッド９の水平面への投影が交差している。より好適な形態では、第２ブラケットロッド８は左右方向に沿って設けられ、第１支持ロッド９は前後方向に沿って設けられており、第２ブラケットロッド８は第１支持ロッド９と直交している。第２ブラケットロッド８及び第１支持ロッド９の水平面への投影の交差部分は、回転軸３の前方に位置している。本実施例の回転軸３は、第１支持ロッド９と第２支持ロッド１１との連結部分の近傍に設けられている。
【００３０】
折り畳み式チャイルドシートが使用状態にあるとき、すなわち台座１が背もたれ部２と相対的に開いているときに、第１支持ロッド９は、第２ブラケットロッド８の上方に位置し、且つ第２ブラケットロッド８と当接している。車が衝突した場合には、背もたれ部２は前方に回転しようとするが、この時、第１支持ロッド９は第２ブラケットロッド８と当接しているので、第１ブラケット６と第２ブラケット７との位置を相対的に安定させ、これによって背もたれ部２の前への回転を防止しており、折り畳み式チャイルドシートが折り畳み状態にあるとき、すなわち台座１が背もたれ部２の後ろ側まで回転され背もたれ部２の後ろ側に近付けられているときに、第１ブラケット６は第２支持ロッド１１の後ろ側まで回転される。
【実施例２】
【００３１】
図５を参照すると、本実施例の折り畳み式チャイルドシートと実施例１との違いは以下の内容だけである。すなわち、第１ブラケット６は２本の第１ブラケットロッド１０を含んでおり、２本の第１ブラケットロッド１０は、台座１の左右両側に位置すると共に、平行に設置されており、折り畳み式チャイルドシートが使用状態にあるときに、第１支持ロッド９は第１ブラケットロッド１０の上方に位置し、且つ第１ブラケットロッド１０及び第１支持ロッド９の水平面への投影は交差している。より好適な形態では、第１ブラケットロッド１０は前後方向に沿って設けられ、第２支持ロッド９は左右方向に沿って設けられており、第２ブラケットは、上下方向に沿って設けられた第２支持ロッド１１と、前後方向に沿って設けられると共に、後部が第１支持ロッド１１の下部と固定され、前部が第２支持ロッド９と固定された第３支持ロッド１３とを更に含む。
【００３２】
折り畳み式チャイルドシートが使用状態にあるとき、すなわち台座１が背もたれ部２と相対的に開いているときに、第１支持ロッド９は、第１ブラケットロッド１０の上方に位置し、且つ第１ブラケットロッド１０と当接している。車が衝突した場合には、背もたれ部２は前方に回転しようとするが、この時、第１支持ロッド９は第１ブラケットロッド１０と当接しているので、第１ブラケット６と第２ブラケット７との位置を相対的に安定させ、これによって背もたれ部２の前への回転を防止しており、折り畳み式チャイルドシートが折り畳み状態にあるとき、すなわち台座１が背もたれ部２の後ろ側まで回転されて背もたれ部２の後ろ側に近付けられているときに、第１ブラケット６は第２支持ロッド１１の後ろ側まで回転される。
【実施例３】
【００３３】
図６を参照すると、本実施例の折り畳み式チャイルドシートと実施例１との違いは、アームレスト５が背もたれ部２の下部の左右両側に固定されることだけである。該アームレスト５は、すなわち上述の第２支持部であり、チャイルドシートが使用状態にあるときに、第２支持部は、第１ブラケット６の上方に位置し、且つ第１ブラケット６との水平面への投影が重なり、投影の重なる部分は前記回転軸３の前方に位置している。より好適な実施形態では、チャイルドシートが使用状態にあるときに、アームレスト５は、上述の第１ブラケットロッド１０の上方に位置し、且つ第１ブラケットロッド１０との水平面への投影が重なっている。アームレスト５は剛性を有する部材である。
【００３４】
折り畳み式チャイルドシートが使用状態にあるとき、すなわち台座１が背もたれ部２と相対的に開いているときに、アームレスト５は、第１ブラケットロッド１０の上方に位置し、且つ第１ブラケットロッド１０と当接している。車が衝突した場合には、背もたれ部２が前方に回転しようとするが、この時、アームレスト５は第１ブラケット１０と当接しているので、背もたれ部２と第１ブラケット６との位置を相対的に安定させ、これによって背もたれ部２の前への回転を防止しており、折り畳み式チャイルドシートが折り畳み状態にあるとき、すなわち台座１が背もたれ部２の後ろ側まで回転され、且つ背もたれ部２の後ろ側に近付けられているときには、第１ブラケット６は背もたれ部２の後ろ側まで回転される。
【実施例４】
【００３５】
図７を参照すると、本実施例の折り畳み式チャイルドシートは、台座１と、底部が回転軸３を介して台座１の後部と回転可能に連結された背もたれ部２と、背もたれ部２の上部と着脱可能に連結されたヘッドレスト４とを含む。折り畳み式チャイルドシートは２つの動作状態を有しており、使用状態にあるときに、台座１は背もたれ部２と相対的に開き、且つ背もたれ部２は台座１の後部上方に位置しており、折り畳み状態にあるときに、台座１は背もたれ部２の後ろ側まで回転され、且つ背もたれ部２の後ろ側に近付けられている。
【００３６】
台座１は剛性のある第１支持部を有し、背もたれ部２は剛性のある第２支持部を有し、チャイルドシートが使用状態にあるときに、第１支持部は第２支持部と当接しており、第１支持部は、第２支持部の前方に位置し、且つ第２支持部との左右方向に沿う垂直面への投影が少なくとも部分的に重なり、投影の重なった部分は回転軸３の上方に位置している。
【００３７】
本実施例の第１支持部は、台座１の後部に固定されて上方に延伸する支持フレーム１４であり、該支持フレーム１４は剛性を有する部材である。背もたれ部２には支持フレーム１４を収納可能な溝部（図示せず）が設けられており、折り畳み式チャイルドシートが使用状態にあるときに、台座１は背もたれ部２と相対的に開き、支持フレーム１４は溝部内に位置し、且つ支持フレーム１４は溝部の溝壁１５と当接しており、該溝壁１５は、剛性を有し、すなわち上述の第２支持部であり、折り畳み式チャイルドシートが折り畳み状態にあるときに、台座１は背もたれ部２に近付けられている。
【００３８】
上述の実施例は本考案の技術的構想及び特徴を説明するためだけのものであり、その目的は、当業者に本考案の内容を理解させ、これに基づいて実施させることにあり、これを以て本考案の保護範囲を限定するものではない。本考案の主旨に基づいて実際に行われた同効果の変更または修飾は、すべて本考案の保護範囲内に含まれるべきである。
【符号の説明】
【００３９】
１：台座
２：背もたれ部
３：回転軸
４：ヘッドレスト
５：アームレスト
６：第１ブラケット
７：第２ブラケット
８：第２ブラケットロッド
９：第１支持ロッド
１０：第１ブラケットロッド
１１：第２支持ロッド
１２：アイソフィックス
１３：第３支持ロッド
１４：支持フレーム
１５：溝壁
【図１】
0003199855.tif 000003
【図２】
0003199855.tif 000004
【図３】
0003199855.tif 000005
【図４】
0003199855.tif 000006
【図５】
0003199855.tif 000007
【図６】
0003199855.tif 000008
【図７】
0003199855.tif 000009